(57)【要約】  【課題】プリント要求されたプリントサイズと装填されている記録媒体のサイズとが異なる場合であっても、効率の良い処理を行なうことができるプリンタを提供する。  【解決手段】装填されている記録媒体のサイズを検出する検出手段と、プリント要求されたプリントサイズと前記検出手段が検出した記録媒体のサイズとが一致しているか否かを判定する判定手段と、前記判定手段による判定に応じたプリント要求の受け入れもしくは拒否の設定手段とを有することにより、前記課題を解決する。【選択図】図２
2007069371.tif 000002
【特許請求の範囲】
【請求項１】
プリント要求に応じて、このプリント要求に対応する画像を記録媒体に記録したプリントを出力するプリンタであって、
装填されている記録媒体のサイズを検出する検出手段と、プリント要求されたプリントサイズと前記検出手段が検出した記録媒体のサイズとが一致しているか否かを判定する判定手段と、前記判定手段による判定に応じたプリント要求の受け入れもしくは拒否の設定手段とを有することを特徴とするプリンタ。
【請求項２】
プリント要求されたプリントサイズと装填されている記録媒体のサイズとが異なる場合に、プリント要求を拒否する第１のモード、
プリント要求されたプリントサイズと装填されている記録媒体のサイズとが異なる場合に、プリント要求されたプリントサイズよりもサイズの大きい記録媒体が装填されている場合には、プリント要求を受け入れて、プリント要求されたプリントサイズよりも大きい記録媒体にプリント要求されたサイズの画像を記録したプリントを出力し、プリント要求されたプリントサイズよりも装填されている記録媒体のサイズが小さい場合には、プリント要求を拒否する第２のモード、
プリント要求されたプリントサイズと装填されている記録媒体のサイズとが異なる場合でも、プリント要求を受け入れて、このプリント要求に対するプリント作成時に警告を発する第３のモード、
および、プリント要求されたプリントサイズと装填されている記録媒体のサイズとが異なる場合でも、プリント要求を受け入れて、このプリント要求よりも後のプリントに、装填されている記録媒体のサイズのプリントが存在する場合には、プリント順を入れ換えて、装填されている記録媒体に対応するサイズのプリントを優先して行い、装填されている記録媒体に対応するサイズのプリントが無くなった時点で、警告を発する第４のモードの、少なくとも２つのモードを有し、
いずれかのモードを選択して、設定する請求項１に記載のプリンタ。
【請求項３】
対応可能なプリントサイズを記憶する記憶手段を有し、対応していないプリントサイズのプリント要求が来た場合には、いかなる場合もプリント要求を拒否する請求項１または２に記載のプリンタ。
【発明の詳細な説明】
【技術分野】
【０００１】
本発明は、医療用の感熱記録プリンタをはじめとする各種のプリンタの技術分野に関し、詳しくは、装填されている記録媒体に対応しないプリントサイズのプリント要求が来た場合でも、効率のよい処理を行なうことができるプリンタに関する。
【背景技術】
【０００２】
サーマルヘッドによって感熱材料に画像を記録する感熱記録プリンタ等の各種のプリンタが、医療用途や印刷用途等の各種の用途に利用されている。
これらのプリンタにおいては、画像を記録される記録媒体は、例えば、筐体状のマガジン（カセット）に積層状態で収納され、このマガジンを所定位置に装填することで、プリンタに装填される。あるいは、記録媒体は、所定の記録媒体用のトレー等に積層状態で収容されることで、プリンタに装填される。
【０００３】
これらのプリンタは、通常、複数サイズの記録媒体に対応して、画像を記録できるようになっているが、プリンタが対応する全サイズの媒体を一度に装填できるプリンタは、非常に少ない。そのため、通常は、マガジンの交換や、トレーに収容する記録媒体の交換等によって、各種のサイズの記録媒体に対応している。
【０００４】
プリンタは、例えば、サーバや操作手段等からのプリント要求に応じて、順次、供給された画像データ（あるいはプリント要求に応じて取得した画像データ）を、プリント要求で指示されたサイズの記録媒体に記録して、プリントを作成、出力する。
【０００５】
ところが、例えば、オペレータによる入力ミス等によって、記録媒体を装填されていないサイズのプリントを要求される場合も有る。このような場合、プリンタは、プリント要求を拒否するのが通常である。
また、特許文献１には、装填されている記録媒体と、要求されたプリントのサイズが異なる場合でも、プリント拒否はしないが、要求されたプリントサイズが装填されている記録媒体よりも大きい場合には、画像を縮小してプリントを作成し、要求されたプリントサイズが装填されている記録媒体よりも小さい場合には、記録媒体の一部を使用して、プリント要求に応じた画像を記録したプリントを出力することが開示されている。
【０００６】
【特許文献１】特開平８−２５８３６２号公報
【発明の開示】
【発明が解決しようとする課題】
【０００７】
プリンタがプリント要求を拒否した場合には、所望するプリントを出力するためには、オペレータ等が、再度、プリント出力のための操作を行なって、再度、サーバ等からプリント要求を行なう必要がある。
また、特許文献１のように、自動的に画像を縮小したり、異なるサイズの記録媒体の一部を使用してプリントを出力しても、このプリントは、必ずしもユーザが所望するプリントであるとは限らない。また、記録媒体が高価である場合には、記録媒体の一部を利用したプリントは、コスト的にも不利である。
【０００８】
本発明の目的は、前記従来技術の問題点を解決することにあり、医療用途等に用いられる感熱記録プリンタ等であって、装填されている記録媒体とは異なるサイズのプリントの出力をプリント要求された場合であっても、プリント要求を拒否せずに受け入れ、必要に応じてマガジン／トレイ交換等を促す警告を出すことにより、再度のプリント要求を行なうための操作を不要にし、また、マガジン交換の頻度を減らし、かつ、タイミングを好適なものとして、効率のよいプリントの出力を行なうことを可能にするプリンタを提供することにある。
【課題を解決するための手段】
【０００９】
前記目的を達成するために、本発明のプリンタは、プリント要求に応じて、このプリント要求に対応する画像を記録媒体に記録したプリントを出力するプリンタであって、装填されている記録媒体のサイズを検出する検出手段と、プリント要求されたプリントサイズと前記検出手段が検出した記録媒体のサイズとが一致しているか否かを判定する判定手段と、前記判定手段による判定に応じたプリント要求の受け入れもしくは拒否の設定手段とを有することを特徴とするプリンタを提供する。
【００１０】
このような本発明のプリンタにおいて、プリント要求されたプリントサイズと装填されている記録媒体のサイズとが異なる場合に、プリント要求を拒否する第１のモード、プリント要求されたプリントサイズと装填されている記録媒体のサイズとが異なる場合に、プリント要求されたプリントサイズよりもサイズの大きい記録媒体が装填されている場合には、プリント要求を受け入れて、プリント要求されたプリントサイズよりも大きい記録媒体にプリント要求されたサイズの画像を記録したプリントを出力し、プリント要求されたプリントサイズよりも装填されている記録媒体のサイズが小さい場合には、プリント要求を拒否する第２のモード、プリント要求されたプリントサイズと装填されている記録媒体のサイズとが異なる場合でも、プリント要求を受け入れて、このプリント要求に対するプリント作成時に警告を発する第３のモード、および、プリント要求されたプリントサイズと装填されている記録媒体のサイズとが異なる場合でも、プリント要求を受け入れて、このプリント要求よりも後のプリントに、装填されている記録媒体のサイズのプリントが存在する場合には、プリント順を入れ換えて、装填されている記録媒体に対応するサイズのプリントを優先して行い、装填されている記録媒体に対応するサイズのプリントが無くなった時点で、警告を発する第４のモードの、少なくとも２つのモードを有し、いずれかのモードを選択して、設定するのが好ましく、また、対応可能なプリントサイズを記憶する記憶手段を有し、対応していないプリントサイズのプリント要求が来た場合には、いかなる場合もプリント要求を拒否するのが好ましい。
【発明の効果】
【００１１】
このような本発明のプリンタは、装填されている記録媒体とは異なるサイズのプリントの出力をプリント要求された場合であっても、設定等に応じてプリント要求を拒否せずに受け入れ、また、必要に応じて所定のタイミングでマガジンやトレイの交換等を促す警告を出す。
そのため、本発明のプリンタによれば、再度のプリント要求を行なうための操作を不要にし、また、マガジン等の交換の頻度を減らすことができ、さらに、好適なタイミングでのマガジン交換等を可能にして、効率のよいプリントの作成を行なうことができる。
【発明を実施するための最良の形態】
【００１２】
以下、本発明のプリンタについて、添付の図面に示される好適実施例を基に、詳細に説明する。
【００１３】
図１に、本発明のプリンタを利用する医療用診断システムの一例の概念図を示すブロック図である。
【００１４】
図示例の医療用診断システム１０（以下、診断システム１０とする）は、放射線画像撮影／読取装置などの医療用撮影装置１２（以下、撮影装置１２とする）と、サーバ１４と、本発明のプリンタ１６とを有して構成される。
この診断システム１０は、例えば、ＤＩＣＯＭ(Digital Imaging Communication in Medicine)に準拠する医用画像の通信ネットワークを利用するもので、撮影装置１２によって撮影された医用画像の画像データ（画像情報）をサーバ１４に送って、必要な情報を処理して、患者名や撮影部位等の付帯情報と共に記憶する。
また、診断システム１０では、サーバ１４や別途設けられた操作手段（コンソール）を用いたプリントの出力指示が行なわれると、サーバ１４からプリント出力を指定されたプリンタ１６にプリント要求（一例として、この画像を、このプリントサイズで出力する旨の指示）を出すと共に、これに対応付けして画像データ等を送り、プリンタ１６で医用画像等を再生したプリント（ハードコピー）を出力するものである。あるいは、サーバ１４からではなく、操作手段からプリンタ１６にプリント出力指示に応じたプリント要求を行なって、プリンタ１６が、このプリント要求に応じた画像データ等をサーバ１４から取得して、プリントを作成してもよい。
【００１５】
図示例の診断システムにおいて、撮影装置１２は、放射線画像撮影読取装置、マンモグラフィー、ＣＴスキャン、ＭＲＩ等の公知の医用画像の撮影装置である。
また、撮影装置１２のみならず、放射線画像が撮影された輝尽性蛍光体パネル（ＩＰ(Imaging Plate)）の読み取りを行なう、撮影機能を有さない放射線画像情報読取装置であっても良い。
【００１６】
サーバ１４は、公知のサーバであって、ＤＩＣＯＭに準拠した医用画像の通信ネットワークによって撮影装置やプリンタ１６を接続され、撮影装置１２や放射線画像情報読取装置等から医用画像の画像データ（画像情報）から取得し、画像データに付加された、および／または別途入力された、患者名や撮影部等の付帯情報と、画像データとを対応付けして記憶する。
また、サーバ１４は、自身への入力や所定の操作手段によるプリントの出力指示に応じて、選択されたプリンタ１６に、出力指示に応じたプリント要求を出すと共に、出力指示に応じた医用画像の画像データや付帯情報等を供給する。
なお、プリント要求は、サーバ１４からプリンタ１６に出すのではなく、操作手段からプリンタ１６にプリント出力指示に応じたプリント要求を出し、これに応じて、プリンタ１６がサーバ１４から医用画像の画像データや付帯情報等を取得してもよいのは、前述のとおりである。あるいは、操作手段が、プリンタ１６へのプリント要求に加え、プリント出力指示の情報をサーバ１４にも出して、サーバ１４が対応する画像データ等をプリンタ１６に送るようにしてもよい。
【００１７】
プリンタ１６は、プリント要求、および、医用画像の画像データ、患者名や撮影部位等の医用画像に関する付帯情報などの各種の情報を受け取り、このプリント要求に応じたプリントを作成する、いわゆる医療用のイメージャーである。
このプリンタ１６は、本発明のプリンタであり、プリント要求されたプリントサイズと装填されている記録媒体のサイズとが異なる場合に、後述するモードの設定に応じて、プリント要求を拒否し、もしくは、プリント要求を受け入れて、警告の出力、プリント順の変更等を行なう。
【００１８】
なお、本発明のプリンタ１６は、このような（医療用）診断システム１０に利用される医療用のイメージャーに限定はされず、各種の用途に利用可能である。また、図示例のようなネットワークに接続されるプリンタにも限定はされない。さらに、画像供給源もサーバ１４には限定されず、各種の画像供給源に対応可能である。
ここで、放射線画像撮影読取装置等の医療用の撮影装置１２で撮影された医用画像を再生する診断用のプリントは、撮影装置の種類や撮影部位等に応じて、フォーマットおよびプリントサイズが定められている。一方、図１に示すように、診断システム１０では、複数の撮影装置１２（読取装置）に複数台のプリンタ１６が対応する場合が多く、入力ミス等に起因して、撮影装置に基本的に対応していないプリンタにプリント要求がされる等、記憶媒体が装填されていないサイズのプリントを要求される場合も多い。従って、本発明は、このような医療用の感熱記録装置や感光性熱源像材料を利用する医療用のプリンタ等、医療用のイメージャーには、特に好適である。
【００１９】
図２に、プリンタ１６の構成をブロック図で概念的に示す。
同図に示されるように、プリンタ１６は、媒体装填部２０、プリント作成部２２、制御手段２４、サイズ検出手段２６、モード設定手段２８、警告手段３０、および、サイズ記憶手段３２を有して構成される。
【００２０】
媒体装填部２０は、プリントとなる記録媒体（記録材料）を装填する部位であり、プリント作成部２２によるプリント作成に応じた記録媒体が装填される。なお、プリンタ１６は、複数のサイズの記録媒体に対応可能であり、媒体装填部２０も、それに対応する各種のサイズの記録媒体を装填可能である。
記録媒体の装填方法には、特に限定はなく、マガジンやカセット等の所定の容器に積層状態で収容して、マガジン等を所定の装填部に装填する方法、所定のトレーに記録媒体を積層する方法等、公知のプリンタで行なわれている各種の方法が利用可能である。
本発明のプリンタ１６においては、複数サイズの記録媒体に対応可能であれば、マガジンやカセットの装填部や、媒体装填用のトレーは、１つであっても複数であってもよく、また、マガジン等とトレーとを併用するものであってもよい。
【００２１】
プリント作成部２２は、プリント要求に応じた画像を再生したプリントを作成、出力するものである。
プリント作成部２２すなわち本発明のプリンタによるプリント作成方法には、特に限定はなく、感熱記録、写真感光材料に画像データに応じた潜像を記録して所定の現像処理を行なうプリント作成、インクジェット、電子写真等の公知の各種のプリント作成方法が利用可能である。ここで、前述のように、本発明のプリンタ１６は、医療用のイメージャーに好適であるので、ＰＥＴ等のプラスチックフィルムに感熱記録層を形成してなる感熱記録材料を用いる感熱記録等、医療用のイメージャーに利用されている各種のプリント作成手段は、より好適である。
【００２２】
制御手段２４は、プリンタ１６の全体の動作を制御するものである。プリント要求や医用画像の画像データ等は、この制御手段２４に供給される。
また、制御手段２４は、サーバ１４からのプリント要求に応じて、プリント要求におけるプリントサイズと、サイズ検出手段２６が検出した装填されている記録媒体のサイズとが一致しているか否かを判定し、一致している場合にはプリント要求を受け入れて、プリント作成部２２に必要な情報を供給してプリントの作成を指示し、一致していない場合には、モード設定手段２８が設定したモードに応じて、プリント要求の受け入れおよび拒否の決定、プリント順の変更、警告手段３０への警告出力の指示等を行なう。この点に関しては、後に詳述する。
【００２３】
サイズ検出手段２６は、媒体装填部２０に装填されている記録媒体のサイズを検出して、その検出結果を制御手段２４に供給するものである。
記録媒体のサイズ検出方法には、特に限定はなく、マガジン等にサイズ検出用の突起等の識別手段を設け、この識別手段を機械的手段や光学的手段で検出する方法、マガジン等に記録（貼着）される記録媒体のサイズの情報を含むバーコードを読み取る方法、装填されたマガジン等の種類を検出することで記録媒体のサイズを検出する方法など、各種のプリンタで実施されている公知の記録媒体サイズの検出方法が、全て利用可能である。
【００２４】
モード設定手段２８は、オペレータ等による選択に応じて、プリント要求されたプリントサイズと、装填されている記録媒体のサイズとが異なる場合における処理のモードを設定し、制御手段２４に、設定したモードの情報を供給する部位である。
図示例のプリンタ１６においては、プリント要求されたプリントサイズと、装填されている記録媒体のサイズとが異なる場合に対応して、４つのモードを有する。
【００２５】
第１のモードは、プリント要求されたプリントサイズ（以下、要求サイズとする）と、装填されている記録媒体のサイズ（以下、装填サイズとする）とが異なっている場合には、プリント要求を拒否するモードである。
【００２６】
第２のモードは、要求サイズと装填サイズとが異なっている際に、要求サイズが装填サイズよりも小さい場合には、プリント要求を受け入れて、装填されている記録媒体の一部を利用して、プリント要求に応じたプリントを出力し、要求サイズが装填サイズよりも大きい場合には、プリント要求を拒否するモードである。
【００２７】
第３のモードは、要求サイズと装填サイズとが異なっていても、プリント要求を受け入れると共に、そのプリント要求に対応するプリントを作成する際に、警告手段３０によってマガジン等の交換を促す警告を出力するモードである。
この第３のモードでは、後に、装填サイズに対応する要求サイズのプリント要求が存在しても、プリント順の変更はしない。
【００２８】
第４のモードは、要求サイズと装填サイズとが異なっていても、プリント要求を受け入れると共に、例えばサーバ１４や操作手段の閲覧等によって、それ以降に、装填サイズに対応するプリントが出力指示（キューイング）されていることを知見した場合には、プリント順を変更して、装填サイズに対応するプリント要求のプリント作成を優先して行い、装填サイズ以外のプリントしか無くなった時点で、警告手段３０によってマガジン等の交換を促す警告を出力するモードである。
【００２９】
なお、これらのモードの選択／設定方法には、特に限定は無く、プリンタ１６にモードの選択／設定のための専用のスイッチを設ける方法、プリンタ１６が有する操作用等のディスプレイを用いるＧＵＩ(Graphical User Interface)による方法等、公知の方法が全て利用可能である。
また、図示例のプリンタ１６は、好ましい態様として、前記第１〜第４の４つのモードを有するが、本発明は、これに限定はされず、いずれか２つのモードもしくは３つのモードを有するものであってもよく、あるいは、前記４つのモードの内の１以上と、要求サイズと装填サイズとが異なる場合に対応する他のモードとを有して選択／設定するものであってもよい。
【００３０】
図示例のプリンタ１６は、好ましい態様として、対応可能な記録媒体のサイズ（プリントサイズ）を記憶するサイズ記憶手段３２を有し、要求サイズが、このサイズ記憶手段３２が記憶していないサイズである場合には、設定したモードに関わらず、プリント要求を拒否する。
【００３１】
プリンタ１６においては、例えば、このサイズには基本的にプリンタ１６が対応していない、このサイズに対応するマガジンを有していない（例えば購入していない）、このサイズに対応する設定を行なっていない等、マガジン等の交換では対応が不可能なサイズが存在する場合もある。このような要求サイズの場合には、そのプリンタ１６でプリントを作成することは、基本的に不可能であり、マガジン交換の警告等を行なっても、無駄になってしまう。
そのため、図示例のプリンタ１６においては、好ましい態様として、対応可能な記録媒体のサイズをサイズ記憶手段３２に記憶しておき、要求サイズが、ここに記憶されていないサイズで有る場合には、設定したモードによらず、プリント要求を拒否する。
【００３２】
サイズ記憶手段３２への、対応可能な記録媒体のサイズの記憶方法には特に限定はなく、各種の方法が利用可能である。
一例として、予め、対応可能なサイズを入力して、サイズ記憶手段３２に記憶する方法が例示される。なお、この入力方法は、前述のモードの選択／設定と同様に公知の方法によればよい。また、サイズ検出手段２６が検出した記録媒体のサイズを、サイズ記憶手段３２に記憶していく方法（すなわち、過去に装填された記憶媒体のサイズを学習／記憶する方法）も利用可能である。また、サイズ入力による方法とサイズ検出手段２６による検出を利用する方法を併用してもよく、さらに、併用、サイズ入力による方法、検出を利用する方法の、いずれかの方法を選択できるようにしてもよい。
【００３３】
なお、本発明においては、対応可能な記録媒体サイズを記憶するのではなく、対応が不可能な記録媒体のサイズを記憶して、同様の対応を行なうようにしてもよい。
【００３４】
警告手段３０は、第３のモードもしくは第４のモードが選択され、要求サイズと媒体サイズとが異なった場合に、所定のタイミングで警告を出力するものである。
警告の出力方法には、特に限定はなく、各種の方法が利用可能である。一例として「マガジンを交換して下さい」、「フィルムサイズ（用紙サイズ）が異なります」等、プリンタ１６が有するディスプレイに、媒体装填部２０に装填されているマガジン等の交換を促す表示を行なう方法が例示される。あるいは、ディスプレイの表示に変えて、「マガジンを交換して下さい」等を音声出力することで、マガジン等の交換を促す方法も利用可能である。また、単に警告音の発生や警告灯の点灯等でもよい。さらには、これらの２以上の方法を併用してもよい。
【００３５】
以下、診断システム１０の作用を説明することにより、本発明のプリンタについて、より詳細に説明する。
【００３６】
診断システム１０において、撮影装置１２で撮影された医用画像の画像データは、患者名や撮影部位等の付帯情報と対応付けされて、サーバ１４に送られ、サーバ１４内で必要な情報が整理されて、所定の位置（階層やアドレス等）に記憶される。
一方、プリンタ１６では、オペレータによってモードが選択／指示され、その入力指示に応じて、モード設定手段２８が選択されたモードを設定し、制御手段２４にその情報を供給する。また、記録媒体が装填（交換）されると、サイズ検出手段２６が装填サイズ（媒体装填部２０に装填された記録媒体のサイズ）を検出して制御手段２４に送る。
【００３７】
オペレータによって、医用画像やプリントサイズの選択、プリントを出力するプリンタ１６の選択が行なわれ、プリントの出力が指示される。これに応じて、サーバ１４は、所定のタイミングで、プリントの出力を指示されたプリンタ１６（制御手段２４）に、プリント要求を行い、また、プリント要求に対応付けして、選択された医用画像の画像データや付帯情報を送る。
【００３８】
制御手段２４は、装填サイズと要求サイズ（プリント要求されたプリントサイズ）とを比較して、一致している場合には、画像データ等の必要な情報をプリント作成部２２に送り、プリント作成部２２が、プリント要求に応じた医用画像等を再生したプリントを作成して、出力する。
【００３９】
一方、入力ミス等によって装填サイズと要求サイズとが異なっている場合には、制御手段２４は、まず、要求サイズがサイズ記憶手段３２が記憶している対応可能なサイズか否かを検出し、要求サイズが対応可能なサイズでは無い場合には、モード設定手段２８が設定したモードに限らず、サーバ１４に対して、プリント要求を拒否する。
【００４０】
他方、装填サイズと要求サイズとが異なっており、かつ、要求サイズがサイズ記憶手段３２が記憶しているサイズで有る場合には、制御手段２４は、モード設定手段２８で設定したモードに応じた処理を行なう。
【００４１】
第１のモードを設定した際に、装填サイズと要求サイズとが異なっている場合には、制御手段２４は、サーバ１４に対して、プリント要求を拒否する。
【００４２】
第２のモードを設定した際に、装填サイズと要求サイズとが異なっている場合には、制御手段２４は、まず、装填サイズと要求サイズとを比較する。
この比較の結果、要求サイズが装填サイズよりも小さい場合には、プリント要求を受け入れ、画像データ等の必要な情報に加え、要求サイズよりも大きな記録媒体を用いてプリント作成を行なように、プリント作成部２２に指示を出す。プリント作成部２２は、これに応じて、記録媒体の一部にプリント要求に応じた医用画像等を再生したプリントを作成して、出力する。
他方、比較の結果、要求サイズが装填サイズよりも大きい場合には、制御手段２４は、サーバ１４に対してプリント要求を拒否する。
【００４３】
第３のモードを設定した際に、装填サイズと要求サイズとが異なっている場合には、制御手段２４は、プリント要求を受け入れ、このプリント要求に対応するプリント作成のタイミングに応じて、警告手段３０に、「マガジンを交換して下さい」というディスプレイ表示等、要求サイズと装填サイズとが異なる際に対応する所定の警告を出力するように、指示を出す。
媒体装填部２０で記録媒体の交換が行なわれたら、サイズ検出手段２６が新たに装填された記録媒体のサイズ（新たな装填サイズ）を検出して、その情報を制御手段２４に送る。新たな装填サイズと要求サイズとが一致している場合には、制御手段２４は、画像データ等の必要な情報をプリント作成部２２に送り、プリント作成部２２が、プリント要求に応じた医用画像等を再生したプリントを作成して、出力する。
従って、第３のモードでは、プリント順の変更は行なわず、プリント要求の順番に従って、プリントの作成を行なう。
【００４４】
第４のモードを設定した際に、装填サイズと要求サイズとが異なっている場合には、制御手段２４は、プリント要求を受け入れると共に、サーバ１４を閲覧して、このプリント要求よりも後に自身に出力指示（キューイング）されているプリントを検出する。
この検出の結果、装填サイズに対応するプリントが有る場合には、プリント順を変更して、このプリントを優先してプリントを行なう。すなわち、サーバ１４において、装填サイズと一致するプリントが自身に出力指示されている場合には、先に受けたプリント要求を保留して、装填サイズと要求サイズとが一致するプリントのプリント要求を待って、このプリント要求に応じて、通常にプリントの作成を行なう。その上で、装填サイズと要求サイズとが一致しないプリントのみになった時点で、警告手段３０に、「マガジンを交換して下さい」というディスプレイ表示等、要求サイズと装填サイズとが異なる際に対応する所定の警告を出力するように、指示を出す。
以降は、第３のモードと同様、要求サイズに応じた記録媒体が記録媒体装填部２０に装填されたら、保留していたプリント要求に対応するプリントの作成を行なう。
【００４５】
以上の説明より明らかなように、本発明のプリンタによれば、要求サイズと装填サイズとが異なっていても、モードの設定等に応じて、プリント要求を拒否せずに受け入れ、必要に応じて、所定のタイミングで、装填されている記録媒体（マガジン等）の交換を促す警告を出力する。
従って、本発明によれば、オペレータの操作ミス等によってプリンタに対して間違ったプリント要求をしてしまった場合でも、所望するプリントを出力するための、オペレータによる再度の操作等が不要になり、また、装填している記録媒体（マガジン等）の交換を良好なタイミングで行い、さらに、交換頻度を少なくできるので、非常に良好な効率でプリントの出力を行なうことができる。
【００４６】
以上、本発明のプリンタについて詳細に説明したが、本発明は、これに限定はされず、本発明の用紙を逸脱しない範囲において、各種の改良や変更を行なってもよいのは、もちろんのことである。
【図面の簡単な説明】
【００４７】
【図１】本発明のプリンタを利用する（医療用）診断システムの一例を概念的に示す図である。
【図２】本発明のプリンタの一例の構成を概念的に示すブロック図である。
【符号の説明】
【００４８】
１０  （医療用）診断システム
１２  （医療用）撮影装置
１４  サーバ
１６  プリンタ
２０  媒体装填部
２２  プリント作成部
２４  制御手段
２６  サイズ検出手段
２８  モード設定手段
３０  警告手段
３２  サイズ記憶手段
【図１】
2007069371.tif 000003
【図２】
2007069371.tif 000004